(57)【特許請求の範囲】
【請求項１】
商品登録手段により登録された商品の販売データを登録用表示部に表示するとともに登録用バッファメモリに格納し、合計キーの入力に応じて前記登録用バッファメモリに格納された１客分の商品販売データを決済用バッファメモリに転送する登録部と、呼出キーの入力に応じて前記決済用バッファメモリに格納された１客分の商品販売データを呼出しこの商品販売データに基づき支払請求金額を算出して決済用表示部に表示する決済部とからなる商品販売登録データ処理装置において、
前記合計キーの誤操作訂正を指示する戻しキーと、
この戻しキーが合計キーの入力に続いて入力されると、登録用バッファメモリ及び決済用バッファメモリを前記合計キーの入力前の状態に戻す復元手段と、
を具備したことを特徴とする商品販売登録データ処理装置。
【請求項２】
合計キーが入力される毎に前記合計キーを操作したオペレータに対して警告を発する報知手段を設けたことを特徴とする請求項１記載の商品販売登録データ処理装置。
【発明の詳細な説明】
【０００１】
【発明の属する技術分野】
本発明は、買物客が買上げる商品の登録処理と決済処理とを別々のキャッシャが行う２人制の商品販売登録データ処理装置に関する。
【０００２】
【従来の技術】
例えばスーパーマーケットの食品売場では、従来より、２人制の商品販売登録データ処理装置が利用されている。
この装置は、図１１に示すように、チェックアウトレーンに沿って置かれたサッカー台１に取り付けられた登録部としてのスキャナ装置２と、サッカー台１の内側に配置された可動式のレジ台３に載せられた決済部としてのＰＯＳ（Point Of Sales：販売時点情報管理）ターミナル４とで構成されている。
【０００３】
スキャナ装置２は、客買上げ商品の販売データを登録する商品登録手段としてバーコードスキャナ２ａと登録用キーボード２ｂとを備えている。また、客買上げ商品の品名，金額等を表示する登録用表示部として、オペレータ用表示器２ｃと客用表示器（不図示）とを備えている。登録用キーボード２ｂには、１客が買上げる商品の登録終了を宣言する合計キーが配設されている。
ＰＯＳターミナル４は、ドロワ５の上に載置され、このドロワ５の引出の開閉を制御する。ＰＯＳターミナル４は、１客との商取引終了を宣言する登録締め手段として決済用キーボード４ａを備えている。また、合計金額，釣銭額等を表示する決済用表示部として、オペレータ用表示器４ｂと客用表示器４ｃとを備えている。さらに、レシート等を印字するためのプリンタ４ｄを内蔵している。決済用キーボードには、１客が買上げた全商品の販売データを呼出す呼出キーが配設されている。
【０００４】
かかる構成の商品販売登録データ処理装置は、スキャナ装置２を利用して買物客が買上げる商品の販売データを登録処理する商品登録業務と、ＰＯＳターミナル４を利用して買物客との決済データを登録処理する決済登録業務とを別々の店員で行う２人制モードと、１人の店員で行う１人制モードとを有する。
【０００５】
このうち、２人制モード選択時においては、商品登録業務を行う店員いわゆるチェッカーは、スキャナ装置２のバーコードスキャナ２ａまたは登録用キーボード２ｂを操作して買物客が買上げる商品の販売データを１品ずつ登録処理する。そうすると、各商品の販売データがスキャナ装置２側のメモリに一時格納される。そして、１人の買物客が買上げる商品の登録をすべて終了し、合計キーを押下すると、前記メモリに格納されていた当該買物客の商品販売データがＰＯＳターミナル４側のメモリに転送される。これにより、チェッカーは、次の買物客が買上げる商品の販売データ登録処理に移行できる。
【０００６】
一方、決済登録業務を処理する店員いわゆるキャッシャーは、買上商品の登録を終えた買物客が来る毎に決済用キーボード４ａの呼出キーを押下する。そうすると、その買物客が買上げた全商品の販売データがＰＯＳターミナル４側のメモリから呼出されて売上登録処理されるとともに、支払請求金額が算出されて決済用表示部に表示される。そこでキャッシャーは、その支払請求金額に対する代金の支払いを買物客から受け、その支払データを決済用キーボード４ａから入力する。そうすると、プリンタ４ｄによりレシートが印字され発行されるので、レシートを買物客に渡す。そして次の買物客が来ると、再び呼出キーを押下してその買物客が買上げた全商品の販売データをメモリから呼出すものとなっている。
【０００７】
【発明が解決しようとする課題】
しかしながら、従来のこの種の商品販売登録データ処理装置においては、２人制モード選択時にスキャナ装置２の登録用キーボード２ｂに設けられた合計キーが押下されると、スキャナ装置２側のメモリに格納されているデータが１客分の商品販売データとしてＰＯＳターミナル４側のメモリに転送されていたので、チェッカーが買物客の買上げ商品登録途中で誤って合計キーを押下してしまうと、その時点でその買物客に対する商品登録業務が終了したものと見なされていた。ここで、チェッカーが過ちに気が付き取消操作を行えば問題はないが、過ちに気付かずに残りの買上商品の登録を継続すると、その登録は次の買物客が買上げる商品として登録処理されてしまい、キャッシャー側で混乱を生じる問題があった。
【０００８】
また、取消操作を行えば問題はないといっても、合計キーの取消操作によりＰＯＳターミナル側のメモリに転送されたデータをスキャナ装置側のメモリに戻すことはできなかったので、チェッカーはその買物客が買上げる商品の登録を最初からやり直さなければならず、また、キャッシャーは誤操作によりＰＯＳターミナル側のメモリに転送されたデータを削除する操作が必要で、大変な手間と時間を費やさざるを得なかった。
【０００９】
本発明はこのような事情に基づいてなされたもので、その目的とするところは、チェッカーが合計キーの誤操作に気付かないまま客買上商品の登録処理を継続してしまう不具合を未然に防止できる商品販売登録データ処理装置を提供しようとするものである。
また、合計キーを誤操作しても簡単にその誤操作を取り消して誤操作前の状態に戻ることができる商品販売登録データ処理装置を提供しようとするものである。
【００１０】
【課題を解決するための手段】
本願請求項１記載の発明は、商品登録手段により登録された商品の販売データを登録用表示部に表示するとともに登録用バッファメモリに格納し、合計キーの入力に応じて登録用バッファメモリに格納された１客分の商品販売データを決済用バッファメモリに転送する登録部と、呼出キーの入力に応じて決済用バッファメモリに格納された１客分の商品販売データを呼出しこの商品販売データに基づき支払請求金額を算出して決済用表示部に表示する決済部とからなる商品販売登録データ処理装置において、合計キーの誤操作訂正を指示する戻しキーと、この戻しキーが合計キーの入力に続いて入力されると、登録用バッファメモリ及び決済用バッファメモリを前記合計キーの入力前の状態に戻す復元手段とを設けたものである。
このような手段を講じたことにより、登録部のオペレータが合計キーを誤操作した場合には、戻しキーを押下することで誤操作前の状態に復元できるようになる。
【００１３】
また、本願請求項２記載の発明は、上記請求項１記載の発明に、合計キーが入力される毎に前記合計キーを操作したオペレータに対して警告を発する報知手段を付加したものである。
このような手段を講じたことにより、登録部のオペレータが合計キーを誤操作したことを確実に気付くようになる。
【００１４】
【発明の実施の形態】
以下、本発明の一実施の形態を図面を用いて説明する。
なお、この実施の形態は、図１１に示すチェックアウトカウンタシステムの登録部としてのスキャナ装置２及び決済部としてのＰＯＳターミナル４に、本発明を適用した場合である。
【００１５】
図１は本実施の形態における商品販売登録データ処理装置の要部構成を示すブロック図であって、この装置は、制御部本体としてＣＰＵ（Central Processing Unit）１１を搭載している。
また、プログラムなどの固定的データを予め格納したＲＯＭ（Read Only Memory）１２、商品販売データを登録処理するための各種メモリエリアが形成されるＲＡＭ（Random Access Memory）１３、現日時を計時する時計部１４、モードスイッチ１５の信号を入力するとともに前記ＰＯＳターミナル４が載置されたドロワ５の引出を自動開放させるドロワ開放機構５ａ及びスキャナ装置２の近傍に設けられたブザー１６にそれぞれ駆動信号を出力するＩ／Ｏ（Input/Output）ポート１７、通信回線を介して接続されるホスト装置１８とのデータ通信を制御する通信インタフェース１９を搭載している。
【００１６】
さらに、前記ＰＯＳターミナル４に設けられた決済用キーボード４ａから操作入力されたキーのキー信号を取込むキーボードコントローラ２０、同じくＰＯＳターミナル４に設けられた決済用表示部（オペレータ用表示器４ｂ，客用表示器４ｃ）の駆動を制御し表示データに対応した文字等を表示させる表示コントローラ２１、同じくＰＯＳターミナル４に設けられたプリンタ４ｄの駆動を制御し印字データに対応する文字等をレシート用紙及びジャーナル用紙に印字させるプリンタコントローラ２２、前記スキャナ装置２に設けられた登録用キーボード２ｂから操作入力されたキーのキー信号を取込むキーボードコントローラ２３、同じくスキャナ装置２に設けられた登録用表示部（オペレータ用表示器２ｃ，客用表示器）の駆動を制御し表示データに対応した文字等を表示させる表示コントローラ２４、同じくスキャナ装置２に設けられたバーコードスキャナ２ａの駆動を制御し読取られたバーコードデータを取込むスキャナコントローラ２５などを搭載している。
そして、前記ＣＰＵ１１と、ＲＯＭ１２，ＲＡＭ１３，時計部１４，Ｉ／Ｏポート１７，通信インタフェース１９及び各コントローラ２０〜２５とを、アドレスバス，データバス等のバスライン２６で接続している。
【００１７】
前記モードスイッチ１６は、「登録」，「点検」，「精算」，「設定」等の各種業務モードを選択しその実行をＣＰＵ１１に指令するもので、鍵にて切替え操作される。因みに、「登録」とは、商品販売データの登録手段であるスキャナ装置２のバーコードスキャナ２ａ及び登録用キーボード２ｂを介して登録された商品販売データをＲＡＭ１３の所定メモリエリアに登録処理するとともに、決済データの登録手段であるＰＯＳターミナル４の決済用キーボード４ａを介して登録された取引決済データを同メモリエリアに登録処理する業務のモードである。また「点検」とは、「登録」業務によって登録処理されたメモリエリアの内容をレポート出力する業務のモードであり、「精算」とは、同じくメモリエリアの内容をレポート出力した後、このメモリエリアをクリアする業務のモードである。また「設定」とは、各種業務を実行する上で必要なデータを予めメモリエリアに設定する業務のモードである。
【００１８】
前記ホスト装置１８は、各チェックアウトレーンや店内の各売場などにそれぞれ設置されているＰＯＳターミナル４を通信回線で接続して一元的に管理し、販売登録された各商品の販売データを通信回線を介して収集し集計して店舗全体の売上管理等を行うもので、例えば店内の事務所に設置されている。
【００１９】
前記決済用キーボード４ａには、図２に示すように、金額等の数値データを置数入力する「０」〜「９」の置数キー３１及び万券キー３２、置数データをクリアするクリアキー３３、現金による取引決済を宣言する預／現計キー３４、掛売りによる取引決済を宣言する掛計キー３５、クレジットによる取引決済を宣言する信計キー３６、商品券による取引決済を宣言する商品券キー３７等の他、１人制モードと２人制モードとの切替を指令する２人制キー３８と、２人制モード選択時において１客が買上げた全商品の販売データの呼出しを指令する呼出キー３９とが設けられている。
ここで、預／現計キー３４，掛計キー３５，信計キー３６及び商品券キー３７は、１商取引の決済終了を宣言する締めキーとして機能する。
【００２０】
前記登録用キーボード２ｂには、図３に示すように、各商品のＰＬＵコードがそれぞれプリセットされる複数（図３では１〜７０）の商品キー４１、販売点数などの数値データを置数入力する置数キー４２、置数データが乗数（販売点数）であることを指示する×キー４３、置数データをクリアするクリアキー４４、１商取引として販売される商品の登録終了を宣言する合計キー４５等の他、合計キー４５の誤操作訂正を指示する戻しキー４６が設けられている。
【００２１】
前記ＲＡＭ１３には、図４に示すように、各商品のＰＬＵコードに対応してその商品の品名，単価及び税種等のステータスを予め設定記憶するとともに、その商品の売上点数及び売上金額を累積記憶するＰＬＵテーブル５１の他、１客が買上げる商品のＰＬＵコード，販売点数及び販売金額を一時的に格納するスキャナ装置側メモリとしての登録用バッファメモリ５２、１客が買上げる商品の金額を合計する金額合計器５３、スキャナ装置２にて買上商品の登録を終えた客を識別する整理番号順にその客が買上げた商品のＰＬＵコード，販売点数及び販売金額と合計金額とを格納するＰＯＳターミナル側メモリとしての決済用バッファメモリ５４、スキャナ装置２にて買上商品の販売データ登録処理を行った客の人数を計数する登録用カウンタ５５、ＰＯＳターミナル４にて買上商品の代金決済処理を行った客の人数を計数する決済用カウンタ５６、２人制モード選択時にセット“１”される２人制フラグＦ１や、スキャナ装置２にて客買上商品の登録処理中にセット“１”される登録中フラグＦ２や、スキャナ装置２にて合計キー４５が押下されるごとにセット“１”される合計後フラグＦ３などの各種フラグデータを記憶するフラグメモリ５７などが形成されている。
【００２２】
しかして、かかる構成の商品販売登録データ処理装置は、ＰＯＳターミナル４側の決済用キーボード４ａに設けられた２人制キー３８を押下すると、ＣＰＵ１１が図５の流れ図に示す２人制キー処理を実行するようにプログラム構成されている。
【００２３】
すなわち、ＣＰＵ１１は、キーボードコントローラ２０に入力されるキー信号により２人制キー３８の入力を検知すると、ＳＴ（ステップ）１としてモードスイッチ１５にて選択されている業務モードを判別する。ここで、「登録」モードが選択されていた場合には、ＳＴ２としてフラグメモリ５７に登録中フラグＦ２がリセットされているか否かを判断する。そして、登録中フラグＦ２がリセット“０”されていた場合には、ＳＴ３としてフラグメモリ５７に２人制フラグＦ１がリセットされているか否かを判断する。そして、２人制フラグＦ１がリセット“０”されていた場合には、１人制モードから２人制モードへの切替が指示されたので、２人制モードで使用する前記登録用バッファメモリ５２及び決済用バッファメモリ５４をクリアする。また、登録用カウンタ５５及び決済用カウンタ５６のカウント値ｍ，ｎをそれぞれ“０”にリセットする。さらに、２人制フラグＦ１を“１”にセットしたならば、２人制モードとしての登録処理に移行する。
【００２４】
これに対し、ＳＴ３にて２人制フラグＦ１がセット“１”されていた場合には、２人制モードから１人制モードへの切替が指示されたので、ＳＴ４として２人制モードで使用していた登録用カウンタ５５及び決済用カウンタ５６の各カウント値ｍ，ｎを比較する。そして、登録用カウンタ５５のカウント値ｍと決済用カウンタ５６のカウント値ｎとが一致していたならば、１人制モードへの移行が可能なので、１人制モードで使用する決済用バッファメモリ５４をクリアする。また、２人制フラグＦ１を“０”にリセットしたならば、１人制モードとしての登録処理に移行する。
【００２５】
なお、ＳＴ２にて登録中フラグＦ２がセット“１”されていた場合には、１客が買上げる商品の登録途中で２人制キー３８が押下された誤操作なので、操作エラーとしてキー入力を無視する。また、ＳＴ４にて登録用カウンタ５５のカウント値ｍと決済用カウンタ５６のカウント値ｎとが一致していない場合には、２人制モードにおいてスキャナ装置２で登録処理した客買上商品のＰＯＳターミナル４での代金決済処理がまだ完了していない状態で２人制キー３８が押下された誤操作なので、やはり操作エラーとしてキー入力を無視する。
【００２６】
さて、本実施の形態においては、２人制キー３８の入力により２人制モードでの登録処理が開始されると、ＣＰＵ１１が、特に図６乃至図９の流れ図に示す各処理を実行するようにプログラム構成されている。
【００２７】
図６はスキャナ装置２に設けられたバーコードスキャナ２ａによる商品バーコードのスキャニング操作または登録用キーボード２ｂの商品キー４１入力操作により客買上商品のＰＬＵコードが入力されたときのＣＰＵ１１の処理手順を示す流れ図である。
すなわちＣＰＵ１１は、スキャナコントローラ２５への入力またはキーボードコントローラ２３への入力によりＰＬＵコードの入力を検知すると、ＳＴ１としてフラグメモリ５７の登録中フラグＦ２がリセット“０”されているか否かを判断する。ここで、登録中フラグＦ２がリセット“０”されていた場合には、１客が買上げる商品の１点目の登録なので、ＳＴ２としてフラグメモリ５７の合計後フラグＦ３を調べる。そして、合計後フラグＦ３がセット“１”されていたならば“０”にリセットする。次に、ＳＴ３として１客が買上げる商品の登録処理に使用する登録用バッファメモリ５２及び金額合計器５３をそれぞれクリアする。また、ＳＴ４として前記登録中フラグＦ２を“１”にセットする。ＳＴ１にて登録中フラグＦ２がセット“１”されていた場合には、１客が買上げる商品の２点目以降の登録なので、前記ＳＴ２乃至ＳＴ４の処理は行わない。
【００２８】
次に、ＳＴ５として入力されたＰＬＵコードでＰＬＵテーブル５１を検索して、当該ＰＬＵコードに対応する品名，単価などを読出す。そして、単価に販売点数（ＰＬＵコードの入力直前に置数キー４２と乗算キー４３とで乗数が入力されていた場合にはその乗数，乗数が入力されていなければ１）を乗じて販売金額を算出したならば、ＰＬＵコード，販売点数及び販売金額を登録用バッファメモリ５２に格納する。このとき、登録用バッファメモリ５２に同一のＰＬＵコードが格納されていた場合には、そのＰＬＵコードに対応した点数及び金額に今回の販売点数及び販売金額を加算し、同一のＰＬＵコードが格納されていない場合には、今回のＰＬＵコード，販売点数及び販売金額を登録用バッファメモリ５２の空きエリアに順に格納する。
【００２９】
次に、ＳＴ６として登録商品の販売金額を金額合計器５３に加算する。また、ＳＴ７として登録商品の品名，単価，販売点数，販売金額などの明細項目を登録用表示部（オペレータ用表示器２ｃ，客用表示器）に表示させたならば、今回のＰＬＵコード入力処理を終了する。
【００３０】
図７は登録用キーボード２ｂの合計キー４５入力操作により１客が買上げる商品の登録処理終了が宣言されたときのＣＰＵ１１の処理手順を示す流れ図である。
すなわちＣＰＵ１１は、キーボードコントローラ２３への入力により合計キー４５の入力を検知すると、ＳＴ１としてフラグメモリ５７の登録中フラグＦ２がセット“１”されているか否かを判断する。ここで、登録中フラグＦ２がリセット“０”されていた場合には、１客が買上げる商品の登録無しに合計キー４５が入力された誤操作なので、操作エラーとしてキー入力を無視する。
【００３１】
ＳＴ１にて登録中フラグＦ２がセット“１”されていた場合には、ＳＴ２として登録用カウンタ５５を「１」だけカウントアップする。そして、ＳＴ３として登録用バッファメモリ５２に格納されているＰＬＵコード，販売点数及び販売金額からなる商品販売データと金額合計器５３に格納されている合計金額データとを、前記登録用カウンタ５５のカウントｍを整理番号とする１客分の取引データとして、決済用バッファメモリ５４に転送する。
【００３２】
しかる後、ＳＴ４として金額合計器５３に格納されている合計金額データとともに次客移行通知メッセージを登録用表示部２ｃのうちのオペレータ用表示器２ｃに表示させる。また、ＳＴ５としてブザー１６に駆動信号を出力して、該ブザー１６を一定場間鳴動させる。（報知手段）
前記次客移行通知メッセージは、スキャナ装置２のオペレータに該スキャナ装置２での登録が次客に移行することを通知する内容（例えば「次客の登録に移ります。」）のものであって、その内容は予めＲＯＭ１２またはＲＡＭ１３に設定されている。なお、ＲＡＭ１３に設定されている場合には、その内容をユーザ（店側）が任意に設定できるものとする。
【００３３】
その後、ＳＴ６としてフラグメモリ５７の登録中フラグＦ２を“０”にリセットするとともに、合計後フラグＦ３を“１”にセットしたならば、今回の合計キー処理を終了する。
【００３４】
図８は登録用キーボード２ｂの戻しキー４６入力操作により合計キー４５の誤操作訂正が宣言されたときのＣＰＵ１１の処理手順を示す流れ図である。
すなわちＣＰＵ１１は、キーボードコントローラ２３への入力により戻しキー４６の入力を検知すると、ＳＴ１としてフラグメモリ５７の合計後フラグＦ３がセット“１”されているか否かを判断する。ここで、合計後フラグＦ３がリセット“０”されていた場合には、合計キー４５の操作直後でないのに戻しキー４６が入力された誤操作なので、操作エラーとしてキー入力を無視する。
【００３５】
ＳＴ１にて合計後フラグＦ３がセット“１”されていた場合には、登録用バッファメモリ５２及び決済用バッファメモリ５３を合計キー４５の入力前の状態に戻すために、ＳＴ２として決済用バッファメモリ５４から整理番号が登録用カウンタ５５のカウント値ｍに一致する取引データを削除する（復元手段）。
【００３６】
しかる後、ＳＴ３として登録用カウンタ５５を「１」だけカウントダウンする。また、オペレータ用表示器２ｃに表示されていた次客移行通知メッセージを消去する。さらに、フラグメモリ５７の登録中フラグＦ２を“１”にセットするとともに、合計後フラグＦ３を“０”にリセットしたならば、今回の戻しキー処理を終了する。
【００３７】
図９は決済用キーボード４ａの呼出キー３９入力操作により１客が買い上げた全商品の販売データの呼出しが指令されたときのＣＰＵ１１の処理手順を示す流れ図である。
すなわちＣＰＵ１１は、キーボードコントローラ２０への入力により呼出キー３９の入力を検知すると、ＳＴ１として決済用カウンタ５６を「１」だけカウントアップしたならば、ＳＴ２として決済用バッファメモリ５４に前記決済用カウンタ５６のカウント値ｎと整理番号が一致する取引データが格納されているか否かを検索する。そして、該当整理番号ｎの取引データが格納されていない場合には（ＳＴ３のＮＯ）、ＳＴ４として決済用カウンタ５６を「１」だけカウントダウンしたならば、今回の呼出キー処理を終了する。
【００３８】
決済用バッファメモリ５４に該当整理番号ｎの取引データが格納されていた場合には（ＳＴ３のＹＥＳ）、ＳＴ５としてその整理番号ｎの取引データ中の商品販売データを、ＰＬＵテーブル５１の売上点数エリア及び売上金額エリアにＰＬＵコード別に加算して売上登録処理する。また、ＳＴ６として同取引データ中の合計金額データに基づいて支払請求金額を算出し、決済用表示部（オペレータ用表示器４ｂ，客用表示器４ｃ）に表示させる。
【００３９】
しかる後、ＳＴ７として締めキー（預／現計キー３４，掛計キー３５，信計キー３６，商品券キー３７）の入力を待機する。そして、締めキーが入力されると、ＳＴ８として締めキーの種類に応じた締め登録処理を実行する。また、ＳＴ９としてプリンタ４ｄによりレシートを印字発行させるとともに、ドロワ開放装置５ａに駆動信号を出力してドロワ５の引出しを開放させる。さらに、ＳＴ１０として決済用バッファメモリ５４から該当整理番号ｎの取引データを削除したならば、今回の呼出キー処理を終了する。
【００４０】
このように構成された本実施の形態においては、２人制キー３８の入力により２人制モードでの業務実行が指令されると、登録用バッファメモリ５２及び決済用バッファメモリ５４がクリアされる。また、登録用カウンタ５５及び決済用カウンタ５６のカウント値ｍ，ｎがそれぞれ“０”にリセットされる。この状態により、スキャナ装置２を利用して買物客が買上げる商品の販売データを登録処理する商品登録業務と、ＰＯＳターミナル４を利用して買物客との決済データを登録処理する決済登録業務とを、別々の店員で実行できるようになる。
【００４１】
そこで、商品登録業務を行う店員いわゆるチェッカーは、スキャナ装置２のバーコードスキャナ２ａまたは登録用キーボード２ｂを操作して買物客が買上げる商品の販売データを１品ずつ登録する。そうすると、その登録された商品販売データが登録用バッファメモリ５２に一時的に格納される。また、登録商品の販売金額が金額合計器５３にて加算される。さらに、登録商品の名称，単価，販売点数，販売金額などが登録用表示部に表示される。
【００４２】
図１０（ａ）は、登録用表示部におけるオペレータ用表示器２ｃの商品販売データ登録時の表示例であり、オペレータ用表示器２ｃは３行のライン表示器であって、１行目に登録商品の品名「商品ＡＡＡ」と販売金額「４００」とが表示され、２行目に販売点数「２個」と単価「単２００」とが表示され、３行目にこれまでの登録商品の小計金額「小計  １，０００」が表示される。
【００４３】
こうして、１人の買物客が買上げる商品の登録をすべて終了すると、チェッカーは合計キー４５を入力する。そうすると、登録用カウンタ５５が「１」だけカウントアップする。そして、登録用バッファメモリ５２に格納されている当該買物客の商品販売データと、金額合計器５３に格納されている合計金額データとが、前記登録用カウンタ５５のカウントｍを整理番号とする１客分の取引データとして決済用バッファメモリに転送される。そしてこのとき、金額合計器５３に格納されている合計金額データとともに次客移行通知メッセージが登録用表示部２ｃのうちのオペレータ用表示器２ｃに表示される。また、ブザー１６が一定場間鳴動する。
図１０（ｂ）は、同図（ａ）に示した状態で合計キー４５を入力したときのオペレータ用表示器２ｃの表示例であり、オペレータ用表示器２ｃの１行目に次客移行通知メッセージ「次客の登録に移ります」が表示され、３行目に合計金額「合計  １．０００」が表示される。
【００４４】
したがって、このオペレータ用表示器２ｃに表示されたメッセージとブザー１６から発せられる所定のブザー音とから、チェッカーは合計キー４５を入力操作したことを確認できる。
ここで、合計キー４５の入力が誤操作でないときには、チェッカーはそのまま次客が買上げる商品の登録に移る。そして、次客の１品目の商品販売データを登録すると、その商品販売データの登録処理に先立って登録用バッファメモリ５２及び金額合計器５３がクリアされる。
【００４５】
一方、合計キー４５の入力が誤操作であった場合には、チェッカーは登録用キーボード２ｂの戻しキー４６を入力操作する。そうすると、決済用バッファメモリ５４から整理番号が登録用カウンタ５５のカウント値ｍに一致する取引データが削除される。また、登録用カウンタ５５が「１」だけカウントダウンするとともに、図１０（ｃ）に示すように、オペレータ用表示器２ｃに表示されていた次客移行通知メッセージが消去される。
【００４６】
この処理により、直前の合計キー４５操作に応じて決済用バッファメモリ５４に転送された取引データが該決済用バッファメモリ５４から削除されるので、決済用バッファメモリ５４のデータは合計キー４５が操作される前の状態に戻る。また、登録用バッファメモリ５２及び金額合計器５３は、合計キー４５や戻しキー４６が操作されてもデータに変化はないので、合計キー４５が操作される前の状態と一致する。さらに、登録用カウンタ５５は「１」だけカウントダウンされるので、合計キー４５が操作される前の状態に戻る。また、合計キー４５の操作によって“１”にセットされた合計後フラグＦ３は戻しキー４６の操作に応じて“０”にリセットされ、逆に“０”にリセットされた登録中フラグＦ２は戻しキー４６の操作に応じて“１”にセットされる。したがって、戻しキー４６の操作により、合計キー４５が操作される直前の状態にＲＡＭ１４の各データが復元されるので、スキャナ装置２ではそれまでの買物客の買上商品の販売データ登録処理を継続することができる。
【００４７】
このように本実施の形態によれば、２人制モード選択時においてスキャナ装置２における登録用キーボード２ｂの合計キー４５が入力されて、登録用バッファメモリ５２に格納された１客分の商品販売データ等が決済用バッファメモリ５４に転送される毎に、スキャナ装置２のオペレータであるチェッカーに対して警告が発せられるので、チェッカーは合計キー４５を誤操作した場合にその時点で誤操作に気付くようになる。その結果、合計キー４５の誤操作に気付かずにチェッカーが商品登録処理を進めてしまい、ＰＯＳターミナル４側で混乱が生じるのを未然に防止できるようになる。
【００４８】
この場合において、チェッカーに対して発せられる警告は、次客の登録に移行することを通知するメッセージをスキャナ装置２のオペレータ用表示器２ｃに表示させるものを含むので、チェッカーは合計キー４５を誤操作した時点で確実にその誤操作に気付くようになる。
【００４９】
また、合計キー４５の操作直後に戻しキー４６が入力されると、ＲＡＭ１４の各メモリエリアの状態が合計キー４５の操作直前の状態に自動的に復元される。したがって、買物客が買上げる商品の登録途中で誤って合計キー４５を操作してしまっても、戻しキー４６を入力するだけで誤操作前の状態に戻ることができ、その買物客に対する商品登録業務をすぐに継続できるようになる。
【００５０】
【発明の効果】
以上詳述したように本願請求項１記載の発明によれば、合計キーの誤操作前の状態に簡単に戻すことができ、買物客に対する商品登録業務をすぐに継続できる商品販売登録データ処理装置を提供できる。
また、本願請求項２記載の発明によれば、チェッカーは合計キーを誤操作してもその時点で誤操作に気付くことができ、合計キーの誤操作に気付かずに商品登録処理を進めてしまい、決済部側で混乱が生じるのを未然に防止できるとともに、合計キーの誤操作前の状態に簡単に戻すことができ、買物客に対する商品登録業務をすぐに継続できる商品販売登録データ処理装置を提供できる。
【図面の簡単な説明】
【図１】  本発明の一実施の形態の要部構成を示すブロック図。
【図２】  同実施の形態における決済用キーボードの主要なキー配置構成を示す図。
【図３】  同実施の形態における登録用キーボードの主要なキー配置構成を示す図。
【図４】  同実施の形態におけるＲＡＭの主要なメモリエリア構成を示す図。
【図５】  同実施の形態においてＣＰＵが実行する２人制キー入力処理の要部を示す流れ図。
【図６】  同実施の形態において２人制モード時にＣＰＵが実行するＰＬＵコード入力処理の要部を示す流れ図。
【図７】  同実施の形態において２人制モード時にＣＰＵが実行する合計キー入力処理の要部を示す流れ図。
【図８】  同実施の形態において２人制モード時にＣＰＵが実行する戻しキー入力処理の要部を示す流れ図。
【図９】  同実施の形態において２人制モード時にＣＰＵが実行する呼出キー入力処理の要部を示す流れ図。
【図１０】同実施の形態において登録用表示部におけるオペレータ用表示器の表示状態例を示す図。
【図１１】本発明の一実施の形態を適用したチェックアウトカウンタシステムの概略図。
【符号の説明】
２…スキャナ装置（登録部）
２ａ…バーコードスキャナ
２ｂ…登録用キーボード
２ｃ…オペレータ用表示器
４…ＰＯＳターミナル（決済部）
１１…ＣＰＵ
１３…ＲＡＭ
１６…ブザー
３９…呼出キー
４５…合計キー
４６…戻しキー
５２…登録用バッファメモリ
５３…金額合計器
５４…決済用バッファメモリ
【図１】
0003779489.tif 000002
【図２】
0003779489.tif 000003
【図３】
0003779489.tif 000004
【図４】
0003779489.tif 000005
【図５】
0003779489.tif 000006
【図６】
0003779489.tif 000007
【図７】
0003779489.tif 000008
【図８】
0003779489.tif 000009
【図９】
0003779489.tif 000010
【図１０】
0003779489.tif 000011
【図１１】
0003779489.tif 000012